(57)【要約】【課題】電磁弁に対する圧力センサーの取り付けや信号導線の配線形態等を簡略化したマニホールドバルブを得る。【解決手段】電磁弁２のケーシング１０の上面にセンサー室２２を形成して、このセンサー室２２内に圧力センサー２５ａ，２５ｂを設置すると共に、上記ケーシング１０の一部に、配線通路３２を内部に有する配線用ブロック１０ｂを結合し、上記圧力センサー２５ａ，２５ｂから延びる信号導線３１ａ，３１ｂをこの配線用ブロック１０ｂの配線通路３２内に導入し、中間ブロック４を介して主配線基板４３に接続する。【選択図】　　　　図１
2004036841.tif 000002
【特許請求の範囲】
【請求項１】
マニホールドベース上に電磁弁を直接又は中間ブロックを介して搭載することにより形成され、
上記電磁弁が、複数のバルブポート及びこれらのバルブポートが連通する弁孔を備えたケーシングと、上記弁孔内に摺動自在に収容された流路切換用のスプールと、該スプールを駆動する１つ又は２つの電磁操作式パイロット弁と、上記ケーシングの上面に外部に開放するように形成され、着脱自在のカバーで覆われたセンサー室と、該センサー室内に設置されて上記弁孔内の流体圧を検出する１つ又は複数の圧力センサーと、上記ケーシングに該ケーシングの一部を構成するように結合され、上記センサー室とマニホールドベース又は中間ブロックとを結ぶ配線通路を内部に有する配線用ブロックとを備えていて、上記圧力センサーからの信号導線がこの配線用ブロックの配線通路内に導入されている、
ことを特徴とするセンサー付きマニホールドバルブ。
【請求項２】
上記センサー室内にセンサー基板が設置され、このセンサー基板に上記圧力センサーと、該圧力センサーからのアナログ検出信号をディジタル信号に変換するＡ／Ｄ変換器と、変換された信号で点灯する表示ランプとが搭載されると共に、上記信号導線がコネクタを介して着脱自在に接続されていることを特徴とする請求項１に記載のマニホールドバルブ。
【請求項３】
上記ケーシング内部の、上記弁孔から離れてセンサー室に近接する位置に、分岐流路で上記弁孔に連通する圧力検出室が形成され、この圧力検出室内に上記圧力センサーの検出部が配設されていることを特徴とする請求項１又は２に記載のマニホールドバルブ。
【請求項４】
上記電磁弁がマニホールドベース上に直接搭載されていて、
上記電磁弁には、上記圧力センサーからの信号導線が接続された第１信号中継用コネクタと、上記パイロット弁に導通する第１給電用コネクタとが、互いに異なる位置に別々に設けられ、
上記マニホールドベースには、信号処理用の電子部品と給電用及び信号伝達用の主コネクタとが搭載された主配線基板が設けられると共に、この主配線基板にそれぞれ電気接続されて上記第１信号中継用コネクタに接続自在の第２信号中継用コネクタと、上記第１給電用コネクタに接続自在の第２給電用コネクタとが、互いに異なる位置に別々に設けられている、
ことを特徴とする請求項１から３までの何れかに記載のマニホールドバルブ。
【請求項５】
上記電磁弁が中間ブロックを介して上記マニホールドベース上に搭載されていて、
上記電磁弁は、パイロット弁に導通する第１給電用コネクタを有し、
上記中間ブロックは、上記電磁弁の各バルブポートとマニホールドベースの各ベースポートとをそれぞれ連通させる複数の連通孔と、これらの連通孔を非連通状態で横切って上記配線用ブロックの配線通路に連通し、内部を上記圧力センサーに通じる信号導線が挿通する配線孔と、信号処理用の電子部品が搭載された主配線基板と、上記第１給電用コネクタに接続自在の第２給電用コネクタと、該中間ブロックを上記マニホールドベースに電気接続するための第１中継コネクタとを有していて、上記信号導線と第２給電用コネクタ及び第１中継コネクタとが上記主配線基板にそれぞれ電気接続されており、
上記マニホールドベースは、上記第１中継コネクタに接続自在の第２中継コネクタと、隣接するマニホールドベース同士を相互に電気接続するための主コネクタとを有し、これらの主コネクタと第２中継コネクタとが相互に電気接続されている、
ことを特徴とする請求項１から３までの何れかに記載のマニホールドバルブ。
【発明の詳細な説明】
【０００１】
【発明の属する技術分野】
本発明は、マニホールドベース上に搭載した電磁弁の動作状態をセンサーで検出するセンサー付きマニホールドバルブに関するものであり、更に詳しくは、圧力センサーで流体圧を検出することによって電磁弁の動作状態を検出するようにしたマニホールドバルブに関するものである。
【０００２】
【従来の技術】
マニホールドベース上に電磁弁を搭載することにより形成されるこの種のマニホールドバルブにおいては、一般に、上記電磁弁の動作状況の監視や各種の制御あるいは表示等を行うために、スプールなどの弁部材の動作状態をセンサーで検出するようにしている。この場合の検出方式には、磁気センサーで弁部材に取り付けたマグネットを検出する方法や、圧力センサーで出力流体圧を検出する方法などがある。このうち圧力センサーを使用する方法は、弁部材にマグネットを取り付ける必要がないため構成的に簡単ではあるが、上記圧力センサーを、電磁弁の内部の出力流路に近接する位置に該出力流路に臨むように取り付けなければならないため、その取付位置が制限され、該センサーから検出信号を取り出すための信号導線の配線形態がその影響を受け、配線の経路選択や接続作業等が面倒になり易い。
【０００３】
従って、上記圧力センサーの取り付けや、該圧力センサーから延出する信号導線の配線形態等をできるだけ簡略化することが望まれている。また、メンテナンス等に当たって電磁弁をマニホールドベースから分離する際にも、上記圧力センサーを電磁弁から取り外したり、信号導線を接続用の端子から取り外すといったような作業を、できるだけ行わなくても済むように構成することが望ましい。
【０００４】
【発明が解決しようとする課題】
本発明の技術的課題は、圧力センサーで流体圧を検出することによって電磁弁の動作状態を検出するようにしたマニホールドバルブにおいて、電磁弁に対する圧力センサーの取り付けや、該圧力センサーとマニホールドベースとの間の信号導線の配線形態等を簡略化することにある。
本発明の他の技術的課題は、メンテナンス時の取り扱いが容易なセンサー付きマニホールドバルブを得ることにある。
【０００５】
【課題を解決するための手段】
上記課題を解決するため、本発明によれば、マニホールドベース上に電磁弁を直接又は中間ブロックを介して搭載することにより形成されたマニホールドバルブが提供される。上記電磁弁は、複数のバルブポート及びこれらのバルブポートが連通する弁孔を備えたケーシングと、上記弁孔内に摺動自在に収容された流路切換用のスプールと、該スプールを駆動する１つ又は２つの電磁操作式パイロット弁と、上記ケーシングの上面に外部に開放するように形成され、着脱自在のカバーで覆われたセンサー室と、該センサー室内に設置されて上記弁孔内の流体圧を検出する１つ又は複数の圧力センサーと、上記ケーシングに該ケーシングの一部を構成するように結合され、上記センサー室とマニホールドベース又は中間ブロックとを結ぶ配線通路を内部に有する配線用ブロックとを備え、上記圧力センサーからの信号導線がこの配線用ブロックの配線通路内に導入されている。
【０００６】
上記構成を有する本発明のマニホールドバルブは、電磁弁のケーシングの上面に外側に開放するセンサー室を設け、このセンサー室内に圧力センサーを設置するようにしたので、該圧力センサーの取り付けや故障時の交換等が容易である。また、電磁弁のケーシングに配線用ブロックを結合し、上記圧力センサーからの信号導線をこの配線用ブロックの内部の配線通路を通じて中間ブロック又はマニホールドベースに導くようにしたので、該圧力センサーからの信号導線の配線形態が簡略化されて誤配線をなくすことができ、メンテナンス性も向上する。
【０００７】
本発明の具体的な構成態様によれば、上記センサー室内にセンサー基板が設置され、このセンサー基板に上記圧力センサーと、該圧力センサーからのアナログ検出信号をディジタル信号に変換するＡ／Ｄ変換器と、変換された信号で点灯する表示ランプとが搭載されると共に、上記信号導線がコネクタを介して着脱自在に接続されている。
【０００８】
本発明においては、上記ケーシング内部の、上記弁孔から離れてセンサー室に近接する位置に、分岐流路で上記弁孔に連通する圧力検出室が形成され、この圧力検出室内に上記圧力センサーの検出部が配設されている。
【０００９】
本発明の一つの具体的な構成態様によれば、上記電磁弁がマニホールドベース上に直接搭載されていて、上記電磁弁には、上記圧力センサーからの信号導線が接続された第１信号中継用コネクタと、上記パイロット弁に導通する第１給電用コネクタとが、互いに異なる位置に別々に設けられている。また、上記マニホールドベースには、信号処理用の電子部品と給電用及び信号伝達用の主コネクタとが搭載された主配線基板が設けられると共に、この主配線基板にそれぞれ電気接続されて上記第１信号中継用コネクタに接続自在の第２信号中継用コネクタと、上記第１給電用コネクタに接続自在の第２給電用コネクタとが、互いに異なる位置に別々に設けられている。
【００１０】
本発明の他の具体的な構成態様によれば、上記電磁弁が中間ブロックを介して上記マニホールドベース上に搭載されていて、上記電磁弁は、パイロット弁に導通する第１給電用コネクタを有している。また、上記中間ブロックは、上記電磁弁の各バルブポートとマニホールドベースの各ベースポートとをそれぞれ連通させる複数の連通孔と、これらの連通孔を非連通状態で横切って上記配線用ブロックの配線通路に連通し、内部を上記圧力センサーに通じる信号導線が挿通する配線孔と、信号処理用の電子部品が搭載された主配線基板と、上記第１給電用コネクタに接続自在の第２給電用コネクタと、該中間ブロックを上記マニホールドベースに電気接続するための第１中継コネクタとを有していて、上記信号導線と第２給電用コネクタ及び第１中継コネクタとが上記主配線基板にそれぞれ電気接続されている。更に、上記マニホールドベースは、上記第１中継コネクタに接続自在の第２中継コネクタと、隣接するマニホールドベース同士を相互に電気接続するための主コネクタとを有し、これらの主コネクタと第２中継コネクタとが相互に電気接続されている。
【００１１】
【発明の実施の形態】
図１は本発明に係るマニホールドバルブの第１実施例を示すもので、このマニホールドバルブ１Ａは、マニホールドベース３上に中間ブロック４を介して電磁弁２を搭載したものである。
【００１２】
上記電磁弁２はパイロット式電磁弁であって、５ポート式の弁構造を持つ主弁部６と、この主弁部６に連結された電磁操作式のパイロット弁７ａ，７ｂとを有し、これらのパイロット弁７ａ，７ｂで上記主弁部６に内蔵されたスプール８を切り換えるものである。従って上記パイロット弁７ａ，７ｂは、上記スプール８を駆動する駆動機構を構成するものである。
【００１３】
上記主弁部６は、図２からも分かるように、非磁性体からなるケーシング１０を有している。このケーシング１０は、矩形断面を有する主ブロック１０ａと、その一端に結合する配線用ブロック１０ｂと、これらの配線用ブロック１０ｂと主ブロック１０ａとの端面にそれぞれ接合する第１エンドブロック１０ｃ及び第２エンドブロック１０ｄとから構成され、電磁弁２の下面、特にこのケーシング１０の下面は、上記中間ブロック４の上面にガスケットを介して接合するための取付面２ａとなっている。
【００１４】
上記取付面２ａのうち主ブロック１０ａの底面にあたる部分には、供給用バルブポートＰ１　と、その両側に位置する２つの出力用バルブポートＡ１　，Ｂ１　と、さらにその両側に位置する２つの排出用バルブポートＥＡ１　，ＥＢ１　とが設けられている。また、上記主ブロック１０ａ及び配線用ブロック１０ｂの内部には、上記各バルブポートが上述した配列で連通する弁孔１１が設けられ、この弁孔１１内に流路切換用の上記スプール８が摺動自在に収容されている。このスプール８の外周には、上記各ポート間の流路を切り換えるための複数のシール部材８ａが設けられている。
【００１５】
上記第１エンドブロック１０ｃと第２エンドブロック１０ｄには、上記スプール８の両端が臨む位置にピストン室がそれぞれ形成され、これら両ピストン室内にそれぞれピストン１３ａ，１３ｂが摺動自在に収容されている。このうち、第１エンドブロック１０ｃに形成されたピストン室は大径で、その中には大径の上記第１ピストン１３ａが収容され、この第１ピストン１３ａが上記スプール８の一端に当接している。また、上記第２エンドブロック１０ｄに形成されたピストン室は小径で、その中には小径の上記第２ピストン１３ｂが収容され、この第２ピストン１３ｂが上記スプール８の他端に直接当接している。
【００１６】
上記各ピストン１３ａ，１３ｂの背面側にはそれぞれ第１及び第２の圧力室１５ａ，１５ｂが形成されている。大径の第１ピストン１３ａの背面に位置する上記第１圧力室１５ａは、パイロット供給流路１７、パイロットブロック１６に設けられた手動操作機構１８ａ、パイロット弁７ａ、及びパイロット出力流路１９ａを介して上記供給用バルブポートＰ１　に連通している。また、小径の第２ピストン１３ｂの背面に位置する上記第２圧力室１５ｂは、上記パイロット供給流路１７、他方のパイロット弁７ｂ、手動操作機構１８ｂ、及びパイロット出力流路１９ｂを介して上記供給用バルブポートＰ１　に連通している。
【００１７】
そして、一方のパイロット弁７ａがオフとなって第１圧力室１５ａが大気に開放されると共に、他方のパイロット弁７ｂがオンとなって第２圧力室１５ｂに上記パイロット出力流路１９ｂを通じてパイロット供給流路１７からのパイロット流体が供給されているときは、第２ピストン１３ｂによりスプール８が押され、図１に示すように左側に移動した第１切換位置を占める。この状態から上記パイロット弁７ａ，７ｂが切り換わり、パイロット弁７ａがオンとなってパイロット弁７ｂがオフになると、第２圧力室１５ｂが大気に開放して第１圧力室１５ａにパイロット流体が供給されるため、ピストン１３ａによりスプール８が押されて右側に移動し、第２切換位置に切り換わる。
【００１８】
上記手動操作機構１８ａ，１８ｂはそれぞれ、パイロット弁７ａ，７ｂがオンになった場合と同様の切換状態を手動で再現させるためのもので、停電時やパイロット弁７ａ，７ｂが故障した場合などに使用するものである。即ち、手動操作機構１８ａは、パイロット弁７ａに対応するもので、操作子１８ｃを押し下げることによりパイロット供給流路１７とパイロット出力流路１９ａとが直接連通し、第１圧力室１５ａに供給バルブポートＰ１　からパイロット流体が供給される。他方の手動操作機構１８ｂはパイロット弁７ｂに対応していて、操作子１８ｃを押し下げることによりパイロット供給流路１７とパイロット出力流路１９ｂが直接連通し、第２圧力室１５ｂに供給用バルブポートＰ１　からパイロット流体が供給される。
【００１９】
なお、上記パイロット弁７ａ，７ｂは、ソレノイドへの通電によってパイロット流路を開閉するものであって、その構成及び作用は公知のものと同じであるため、その具体的な説明は省略する。
【００２０】
上記電磁弁２におけるケーシング１０の上面には、主ブロック１０ａと配線用ブロック１０ｂと第２エンドブロック１０ｄとに跨がる位置に、着脱自在のカバー２３で覆われたセンサー室２２が形成されている。このセンサー室２２は、ケーシング１０の上面に設けられた比較的浅い凹段部によって形成され、その内部には、プリント配線されたセンサー基板２４が設置され、このセンサー基板２４に、２つの圧力センサー２５ａ，２５ｂと、これらの圧力センサー２５ａ，２５ｂからのアナログ検出信号をディジタル信号に変換するＡ／Ｄ変換器２６ａ，２６ｂと、変換された信号によって点灯する表示ランプ２７ａ，２７ｂとが搭載されている。上記Ａ／Ｄ変換器２６ａ，２６ｂと表示ランプ２７ａ，２７ｂとは、各圧力センサー２５ａ，２５ｂに対応するように設置される。また、上記カバー２３の各表示ランプ２７ａ，２７ｂに対応する位置には、観察用の透明部がそれぞれ形成される。
【００２１】
上記圧力センサー２５ａ，２５ｂは、２つの出力用バルブポートＡ１　，Ｂ１　における出力流体圧をそれぞれ検出するもので、それらの検出部２５ｃが、上記出力用バルブポートＡ１　，Ｂ１　に通じる圧力検出室２８内にそれぞれ収容されている。これらの圧力検出室２８は、上記弁孔１１からは離れているがセンサー室２２には近接する位置に形成されていて、分岐流路２８ａによって弁孔１１の上記出力用バルブポートＡ１　，Ｂ１　が開口する位置に連通している。このような位置に圧力検出室２８を設けて圧力センサー２５ａ，２５ｂの検出部２５ｃを臨ませることにより、該検出部２５ｃを弁孔１１に直接臨ませる場合に比べ、センサー室２２全体を弁孔１１に近接する深さに掘り下げる必要がないため、このセンサー室２２と上記パイロット供給流路１７やパイロット出力流路１９ｂとの位置競合を避けて、該センサー室２２の形成や圧力センサー２５ａ，２５ｂの設置等を容易に行うことができるという利点がある。
【００２２】
そして、上記スプール８が図１に示す左側の第１切換位置にあるときは、第２の出力用バルブポートＢ１　が供給用バルブポートＰ１　に連通して流体圧が上昇するため、第２の圧力センサー２５ｂが動作して検出信号が出力され、上記スプール８が右側の第２切換位置に移動すると、第１の出力用バルブポートＡ１　が供給用バルブポートＰ１　に連通して流体圧が上昇するため、第１の圧力センサー２５ａが動作して検出信号が出力される。
【００２３】
上記センサー基板２４には、上記圧力センサー２５ａ，２５ｂに導通する接続部３０ａに導線用コネクタ３０が着脱自在に接続され、このコネクタ３０に接続された信号導線３１ａが上記配線用ブロック１０ｂの中の配線通路３２を通って中間ブロック４の内部に導入されている。上記配線用ブロック１０ｂは、このように圧力センサー２５ａ，２５ｂからの信号導線３１ａを挿通するために設けられたもので、その内部に上記配線通路３２が、上記弁孔１１やパイロット出力流路１９ｂなどと交わらないように形成されている。
【００２４】
上記中間ブロック４は、上記マニホールドベース３及び電磁弁２と実質的に同じ長さ及び横幅を有するもので、長手方向一半部側の第１ブロック体４ａと、他半部側の第２ブロック体４ｂとからなっており、電磁弁２に接合する上面とマニホールドベース３に接合する下面とを有している。
【００２５】
電磁弁２の主弁部６に対応する上記第１ブロック体４ａの内部には、該電磁弁２の各バルブポートＰ１　，Ａ１　，Ｂ１　，ＥＡ１　，ＥＢ１　と上記マニホールドベース３の各ベースポートＰ，Ａ，Ｂ，ＥＡ，ＥＢとを連通させる複数の連通孔３５と、これらの連通孔３５とは非連通の状態で該第１ブロック体４ａの中央部を軸線方向に横切り、上記配線用ブロック１０ｂの配線通路３２に連通する配線孔３６とが設けられて、この配線孔３６内に、上記信号導線３１ａから延びる信号導線３１ｂが挿通されている。この第１ブロック体４ａの内部を延びる信号導線３１ｂの部分と、上記配線用ブロック１０ｂの中を延びる信号導線３１ａの部分とは、図示の例では一連であるが、互いに分断してコネクタで着脱自在に接続しても良い。
【００２６】
また、パイロット弁７ａ，７ｂに対応する第２ブロック体４ｂの内部には、その下面側に向けて開放するように形成されてカバー３９で覆われた部品収容室３８と、上面側に向けて開放するコネクタ収容室４０とが形成されている。このコネクタ収容室４０内には第２給電用コネクタ４２が設置されていて、中間ブロック４上に電磁弁２を搭載すると、この第２給電用コネクタ４２が電磁弁２の下面の第１給電用コネクタ４１と電気接続されるようになっている。一方の上記部品収容室３８内には、プリント配線された主配線基板４３が収容され、この主配線基板４３には、コントローラーから送られる電磁弁２の制御信号をパラレル信号からシリアル信号に変換するといったような信号処理を行う半導体素子等の電子部品４４と、上記信号導線３１ｂの先端に取り付けられた導線用コネクタ４５を接続するための接続部４５ａと、上記カバー３９から突出する端子を備えた第１中継コネクタ４６と、発光ダイオードからなる表示ランプ４７が搭載され、さらにこの主配線基板４３には、上記第２給電用コネクタ４２がリード線によって電気接続されている。
【００２７】
上記表示ランプ４７は、電磁弁２が異常動作を行ったときに点灯するもので、圧力センサー２５ａ，２５ｂからの検出信号とパイロット弁７ａ，７ｂの制御信号とを上記電子部品４４で信号処理して電磁弁２の動作状況を判別し、その判別結果に基づいて点灯される。この表示ランプ４７は、中間ブロック４に設けた透明部４８を通じて観察できるようになっている。
【００２８】
上記マニホールドベース３は、厚さ方向に複数個を接合して使用するスタッキングタイプのもので、一つの電磁弁２を上記中間ブロック４を介して搭載できるように構成されている。このマニホールドベース３の長手方向の一半側は流路形成部３Ａとなり、他半側は電気接続部３Ｂとなっており、該マニホールドベース３の上面には、これらの流路形成部３Ａと電気接続部３Ｂとに跨がるように上記搭載面３ａが形成されている。上記流路形成部３Ａと電気接続部３Ｂとは、一体に形成しても、別体に形成して相互に連結しても良い。
【００２９】
上記流路形成部３Ａには、マニホールドベース３を厚さ方向に貫通する上記供給用ベースポートＰ及び排出用ベースポートＥＡ，ＥＢが設けられると共に、該マニホールドベース３の端面に開口する２つの出力用ベースポートＡ，Ｂが設けられている。そして、これらのベースポートＰ，ＥＡ，ＥＢ，Ａ，Ｂがそれぞれ上記搭載面３ａ上に開口し、この搭載面上に上記中間ブロック４を介して電磁弁２を搭載すると、これらの各ベースポートＰ，ＥＡ，ＥＢ，Ａ，Ｂが、中間ブロック４の各連通孔３５を介して電磁弁２の各バルブポートＰ１　，ＥＡ１　，ＥＢ１　，Ａ１　，Ｂ１　にそれぞれ連通するようになっている。
【００３０】
また、上記電気接続部３Ｂには、第２中継コネクタ５０と主コネクタ５１とが設けられ、それらは補助コネクタ５２を介して相互に電気接続されている。このうち第２中継コネクタ５０は、マニホールドベース３上に中間ブロック４を搭載すると、上記第１中継コネクタ４６に電気接続され、電磁弁２への駆動用電力の供給を中継するものである。また、上記主コネクタ５１は、隣接するマニホールドベース３，３間で電磁弁用制御信号の伝達や、駆動用電力の供給、あるいは圧力センサー２５ａ，２５ｂからの検出信号の伝達等を行うもので、マニホールドベース３，３同士を相互に接合すると、主コネクタ５１，５１の雌雄の接続端子同士が相互に接続されるように構成されている。
【００３１】
上記構成を有する第１実施例のマニホールドバルブ１Ａは、電磁弁２のケーシング１０の上面に外側に開放するセンサー室２２を設け、このセンサー室２２内に圧力センサー２５ａ，２５ｂを設置するようにしたので、該圧力センサー２５ａ，２５ｂの取り付けや故障時の交換等が容易である。また、電磁弁２のケーシング１０に配線用ブロック１０ｂを結合し、上記圧力センサー２５ａ，２５ｂからの信号導線３１ａをこの配線用ブロック１０ｂの内部の配線通路３２を通じて中間ブロック４に導くようにしたので、該圧力センサー２５ａ，２５ｂからの信号導線３１ａの配線形態が簡略化されて誤配線をなくすことができ、メンテナンス性も向上する。更に、上記電磁弁２と中間ブロック４との間、及び該中間ブロック４とマニホールドベース３との間の電気接続が、それぞれコネクタ４１，４２及び４６，５０を介して行われるようになっているため、マニホールドバルブ１Ａの組み立て作業やメンテナンス時の分解作業が容易になる。
【００３２】
図３は本発明の第２実施例を示すもので、この第２実施例のマニホールドバルブ１Ｂが上記第１実施例のマニホールドバルブ１Ａと相違する点は、電磁弁２を中間ブロック４を介することなく直接マニホールドベース３上に搭載している点と、それに関連する以下の構成である。
【００３３】
即ち、この第２実施例の電磁弁２においては、ケーシング１０の配線用ブロック１０ｂが、主ブロック１０ａと第１エンドブロック１０ｃとの間に介設されている。そして、この配線用ブロック１０ｂの下面の位置に第１の凹部５４が形成され、この凹部５４の内部に第１信号中継用コネクタ５５が設置され、この第１信号中継用コネクタ５５に圧力センサー２５ａ，２５ｂからの信号導線５６が接続されている。また、パイロット弁７ａ，７ｂに対応する位置には、上記第１信号中継用コネクタ５５とは別の第１給電用コネクタ５７が設けられている。
【００３４】
一方、上記マニホールドベース３には、その搭載面３ａ上の上記電磁弁２の第１の凹部５４と対応する位置に、第２の凹部５９が形成され、この第２の凹部５９内に第２信号中継用コネクタ６０が設置されている。また、ベース内部の基板収容室６１内には、主配線基板６２が設置され、更に、上記第１給電用コネクタ５７と対応する位置に第２給電用コネクタ６３が設置されている。これらの第２信号中継用コネクタ６０と第２給電用コネクタ６３は、上記主配線基板６２にそれぞれ電気接続され、マニホールドベース３上に電磁弁２を搭載すると、上記第１信号中継用コネクタ５５及び第１給電用コネクタ５７にそれぞれ接続されるようになっている。上記主配線基板６２には、信号処理用の電子部品６５と、給電用及び電気信号伝達用の主コネクタ６６が搭載されている。
なお、この第２実施例のマニホールドバルブ１Ｂの上記以外の構成は、実質的に第１実施例のマニホールドバルブ１Ａと同じであるから、主要な同一構成部分に第１実施例と同じ符号を付してその説明は省略する。
【００３５】
上記実施例では、２つのパイロット弁７ａ，７ｂを主弁部６の一側、即ち第１エンドブロック１０ｃ側に集中的に設けているが、これらのパイロット弁７ａ，７ｂを第１エンドブロック１０ｃ側と第２エンドブロック１０ｄ側とに一つずつ配置しても良い。また、このようにパイロット弁７ａ，７ｂを２つ有するダブルパイロット式電磁弁の場合には、必ずしも２つのピストン１３ａ，１３ｂの径を大小に違える必要はなく、同径のピストンを使用することもできる。
【００３６】
あるいは、上記電磁弁２を、１つのパイロット弁７ａでスプール８を切り換えるシングルパイロット式電磁弁とすることもできる。この場合、小径の第２ピストン１３ｂに対応するパイロット弁７ｂを省略し、第２圧力室１５ｂを、パイロット出力流路１９ｂ、手動操作機構１８ｂ、パイロット供給流路１７を通じて供給ポートＰ１　に連通させ、パイロット流体が常時供給されるようにしておけば良い。なお、図１及び図３において一方のパイロット弁７ｂを省略した場合は、その位置に、省略したパイロット弁７ｂと実質的に同形及び同寸のダミーボディを取り付けるようにすれば、電磁弁２をダブルパイロット式の場合と同じ外観形状にすることができる。
【００３７】
また、上記実施例は５ポート式であるため、２つの圧力センサー２５ａ，２５ｂで２つの出力用バルブポートＡ１　，Ｂ１　の流体圧を検出するようになっているが、例えば３ポート式など、その他のポート数であって良く、その場合、出力用バルブポートが１つである場合は、１つの圧力センサーが用いられる。
更には、上述したように出力用バルブポートの流体圧を検出する代わりに、あるいは出力用バルブポートの流体圧を検出する他に、供給用バルブポートの流体圧を圧力センサーで検出するように構成することもできる。
【００３８】
【発明の効果】
本発明によれば、電磁弁のケーシングの上面に外側に開放するセンサー室を設け、このセンサー室内に圧力センサーを設置するようにしたので、該圧力センサーの取り付けや故障時の交換等が容易である。また、電磁弁のケーシングに配線用ブロックを結合し、上記圧力センサーからの信号導線をこの配線用ブロックの内部の配線通路を通じて中間ブロック又はマニホールドベースに導くようにしたので、該圧力センサーからの信号導線の配線形態が簡略化されて誤配線をなくすことができ、メンテナンス性も向上する。
【図面の簡単な説明】
【図１】本発明に係るマニホールドバルブの第１実施例を示す断面図である。
【図２】図１の要部拡大図である。
【図３】本発明に係るマニホールドバルブの第２実施例を示す断面図である。
【符号の説明】
１Ａ，１Ｂ　　　マニホールドバルブ
２　　　電磁弁
３　　　マニホールドベース
４　　　中間ブロック
７ａ，７ｂ　　　パイロット弁
８　　　スプール
１０　　　ケーシング
１０ｂ　　　配線ブロック
１１　　　弁孔
２２　　　センサー室
２３　　　カバー
２４　　　センサー基板
２５ａ，２５ｂ　　　圧力センサー
２５ｃ　　　検出部
２８　　　圧力検出室
２８ａ　　　分岐流路
３０　　　導線用コネクタ
３１ａ，３１ｂ　　　信号導線
３２　　　配線通路
３５　　　連通孔
３６　　　配線孔
４１，５７　　　第１給電用コネクタ
４２，６３　　　第２給電用コネクタ
４３，６２　　　主配線基板
４４　　　電子部品
４６　　　第１中継コネクタ
５０　　　第２中継コネクタ
５１，６６　　　主コネクタ
５５　　　第１信号中継用コネクタ
６０　　　第２信号中継用コネクタ
６５　　　電子部品
【図１】
2004036841.tif 000003
【図２】
2004036841.tif 000004
【図３】
2004036841.tif 000005